(57)【要約】【課題】  画面上に表示されるアイコンの機能を明示することが可能なナビゲーション装置を提供すること。【解決手段】  表示部を有するナビゲーション装置１０において、表示部にアイコンを表示するアイコン表示手段（ＣＰＵ１１、ビデオ回路１５）と、所定の操作部が操作された場合には、アイコン表示手段によって表示されたアイコンの機能を説明する文字または図形を各アイコンの近傍に表示する説明文等表示手段（ＣＰＵ１１、ビデオ回路１５）と、を有する。【選択図】  図１
2005207977.tif 000002
【特許請求の範囲】
【請求項１】
表示部を有するナビゲーション装置において、
上記表示部にアイコンを表示するアイコン表示手段と、
所定の操作部が操作された場合には、上記アイコン表示手段によって表示されたアイコンの機能を説明する文字または図形を各アイコンの近傍に表示する説明文等表示手段と、
を有することを特徴とするナビゲーション装置。
【請求項２】
前記説明文等表示手段は、ボタンとしての機能を有するアイコンに対してのみ文字または図形を表示し、ボタンとしての機能を有しないアイコンに対しては文字または図形を表示しない、ことを特徴とする請求項１記載のナビゲーション装置。
【請求項３】
前記説明文等表示手段は、前記所定のボタンが再度操作された場合には、アイコンの機能を説明する文字または図形を前記表示部から消去することを特徴とする請求項１記載のナビゲーション装置。
【請求項４】
前記説明文等表示手段は、操作頻度が低いアイコンに対してのみ文字または図形を表示することを特徴とする請求項１記載のナビゲーション装置。
【請求項５】
前記説明文等表示手段は、アニメーション表示されるアイコンに対してのみ文字または図形を表示する請求項２記載のナビゲーション装置。
【請求項６】
表示部を有するナビゲーション装置の情報呈示方法において、
上記表示部にアイコンを表示するアイコン表示ステップと、
所定の操作部が操作された場合には、表示された上記アイコンの機能を説明する文字または図形を各アイコンの近傍に表示する説明文等表示ステップと、
を有することを特徴とする情報呈示方法。
【請求項７】
表示部を有するナビゲーション装置において実行されるコンピュータ読み取り可能なナビゲーション用プログラムにおいて、
コンピュータを、
上記表示部にアイコンを表示するアイコン表示手段、
所定の操作部が操作された場合には、上記アイコン表示手段によって表示されたアイコンの機能を説明する文字または図形を各アイコンの近傍に表示する説明文等表示手段、
として機能させることを特徴とするコンピュータ読み取り可能なナビゲーション用プログラム。
【発明の詳細な説明】
【技術分野】
【０００１】
本発明は、ナビゲーション装置、情報呈示方法、およびナビゲーション用プログラムに関する。
【背景技術】
【０００２】
ナビゲーション装置は、ＧＰＳ（Global Positioning Systems）衛星から送信される信号を受信して自車の現在位置を検出するとともに、各種センサにより検出される自車に関する情報およびナビゲーション装置の記録装置に記録されている地図情報に基づいて、自車の現在位置と地図データの道路形状とをマッチングし、表示部に表示された地図上に自車の現在位置を表示する。そして、目的地が設定された場合には、当該目的地までの案内（ナビゲーション）を実行する。
【０００３】
ところで、近年のナビゲーション装置では表示部に複数のアイコン等を表示するものがある。このようなアイコンは大別すると、ａ）状態表示を行う表示窓であるもの、ｂ）諸機能を起動するためのボタンであるもの（つまり、操作を受け付けるもの）の２種類がある。
【０００４】
前者のａ）の例としては、例えば、特許文献１に示すような、地図の表示方向であるノースアップまたはヘッディングアップに応じて、方位磁針を示すアイコンの形状を変更する例がある。
【０００５】
後者のｂ）の例としては、例えば、家の形状を模したアイコンを表示し、当該アイコンが操作された場合には、予め登録されている自宅までルート検索を行ってナビゲーションを行うアイコンの例がある。
【０００６】
【特許文献１】特開平１０−１２２８９１号公報（請求の範囲、要約書）
【発明の開示】
【発明が解決しようとする課題】
【０００７】
ところで、アイコンの中には、前述したａ）とｂ）の機能を兼備するものがあり、一見しただけではどちらのアイコンであるのか判断が困難であるという問題点がある。
【０００８】
本発明は、上記の事情に基づきなされたもので、その目的とするところは、画面上に表示されるアイコンの機能を明示することが可能なナビゲーション装置、情報呈示方法、およびナビゲーション用プログラムを提供することを目的とする。
【課題を解決するための手段】
【０００９】
上述の目的を達成するため、本発明は、表示部を有するナビゲーション装置において、表示部にアイコンを表示するアイコン表示手段と、所定の操作部が操作された場合には、アイコン表示手段によって表示されたアイコンの機能を説明する文字または図形を各アイコンの近傍に表示する説明文等表示手段と、を有している。
【００１０】
また、他の発明は、上述の発明に加えて、説明文等表示手段は、ボタンとしての機能を有するアイコンに対してのみ文字または図形を表示し、ボタンとしての機能を有しないアイコンに対しては文字または図形を表示しないようにしている。
【００１１】
また、他の発明は、上述の発明に加えて、説明文等表示手段は、所定のボタンが再度操作された場合には、アイコンの機能を説明する文字または図形を表示部から消去するようにしている。
【００１２】
また、他の発明は、上述の発明に加えて、説明文等表示手段は、操作頻度が低いアイコンに対してのみ文字または図形を表示するようにしている。
【００１３】
また、他の発明は、上述の各発明に加えて、説明文等表示手段は、アニメーション表示されるアイコンに対してのみ文字または図形を表示するようにしている。
【００１４】
また、他の発明は、上述の発明に加えて、表示部を有するナビゲーション装置の情報呈示方法において、表示部にアイコンを表示するアイコン表示ステップと、所定の操作部が操作された場合には、表示されたアイコンの機能を説明する文字または図形を各アイコンの近傍に表示する説明文等表示ステップと、を有するようにしている。
【００１５】
また、他の発明は、上述の発明に加えて、表示部を有するナビゲーション装置において実行されるコンピュータ読み取り可能なナビゲーション用プログラムにおいて、コンピュータを、表示部にアイコンを表示するアイコン表示手段、所定の操作部が操作された場合には、アイコン表示手段によって表示されたアイコンの機能を説明する文字または図形を各アイコンの近傍に表示する説明文等表示手段、として機能させるようにしている。
【発明の効果】
【００１６】
本発明は、画面上に表示されるアイコンの機能を明示することが可能なナビゲーション装置、情報呈示方法、およびナビゲーション用プログラムを提供することができる。
【発明を実施するための最良の形態】
【００１７】
以下、本発明の一実施の形態について図に基づいて説明する。
【００１８】
図１は、本発明の実施の形態に係るナビゲーション装置の構成例を示すブロック図である。この図に示すように、本発明の実施の形態に係るナビゲーション装置１０は、ＣＰＵ（Central Processing Unit）１１、ＲＯＭ（Read Only Memory）１２、ＲＡＭ（Random Access Memory）１３、ＨＤＤ（Hard Disk Drive）１４、ビデオ回路１５、Ｉ／Ｆ（Interface）１６、バス１７、ＬＣＤ（Liquid Crystal Display）１８、入力装置、１９、センサ２０、ＧＰＳ装置２１、および音声出力装置２２を有している。
【００１９】
ここで、アイコン表示手段の一部であり、説明文等表示手段の一部であるＣＰＵ１１は、ＨＤＤ１４に格納されているプログラムに応じて、各種演算処理を実行するとともに、装置の各部を制御する中央処理装置である。
【００２０】
ＲＯＭ１２は、ＣＰＵ１１が実行するプログラムを格納した半導体記憶装置である。ＲＡＭ１３は、ＣＰＵ１１が実行するプログラムを一時的に記憶する半導体記憶装置である。
【００２１】
ＨＤＤ１４は、ＣＰＵ１１が実行するプログラムを格納するとともに、地図情報を格納している。アイコン表示手段の一部であり、説明文等表示手段の一部であるビデオ回路１５は、ＣＰＵ１１から供給された描画コマンドに応じた描画処理を実行するとともに、描画処理の結果として得られた画像を映像信号に変換してＬＣＤ１８へ出力する。
【００２２】
Ｉ／Ｆ１６は、入力装置１９、センサ２０、およびＧＰＳ装置２１からの出力される信号の表現形式を変換して入力するとともに、音声出力装置に対して出力する信号の表現形式を変換する。バス１７は、ＣＰＵ１１、ＲＯＭ１２、ＲＡＭ１３、ＨＤＤ１４、ビデオ回路１５、およびＩ／Ｆ１６を相互に接続し、これらの間で情報の授受を可能とするための信号線群である。
【００２３】
ＬＣＤ１８は、ビデオ回路１５から出力される映像信号を表示するための表示装置である。図２は、ＬＣＤ１８の詳細を説明するための図である。この図に示すように、ＬＣＤ１８は、中央に表示部１８ａが配置されており、その周辺には入力装置１９としてのハードウエアボタン１９ｂ〜１９ｇが配置されている。また、表示部１８ａには入力装置１９としてのタッチパネル１９ａが重畳するように配置されているので、表示部１８ａに表示されている画像情報等を参照してタッチパネル１９ａを操作することにより、所望の情報を入力することができる。
【００２４】
この例では、表示部１８ａには、車両の現在地の周辺地図が表示されている。ハードウエアボタン１９ｂは、例えば、音声出力装置２２から出力される音声の音量を調整する場合に操作されるボタンである。ハードウエアボタン１９ｃは、例えば、ＣＤ（Compact Disk（登録商標））の再生を開始する場合に操作されるボタンである。ハードウエアボタン１９ｄは、ポイントメニューを表示する場合に操作されるボタンである。ハードウエアボタン１９ｅは、表示部１８ａの表示される情報を、ナビゲーションおよびＴＶ（テレビジョン映像）のいずれかから選択する場合に操作されるボタンである。ハードウエアボタン１９ｆは、ＣＤ、ＤＶＤ（Digital Versatile Disk）の再生を停止する場合に操作される。ハードウエアボタン１９ｇは、ＤＶＤの再生を開始する場合に操作されるボタンである。
【００２５】
図１に戻って、入力装置１９は、前述したように、ＬＣＤ１８の表示部に重畳するように配置されたタッチパネル１９ａおよびハードウエアボタン１９ｂ〜１９ｇを有しており、操作者の操作に応じた情報を生成して出力する。
【００２６】
センサ２０は、車両の速度を示す車速センサ、車両の各制御軸の角速度を示す角速度センサ、およびサイドブレーキの操作状態を示すサイドブレーキセンサを有している。
【００２７】
ＧＰＳ装置２１は、複数のＧＰＳ人工衛星から発信される情報を利用して、車両の現在位置（緯度・経度・高度）を得る装置である。音声出力装置２２は、ＣＰＵ１１から供給されたデータをＤ／Ａ（Digital to Analog）変換し、音声として出力する。
【００２８】
つぎに、本発明の実施の形態に係るナビゲーション装置の動作について説明する。
【００２９】
図３は、ナビゲーション装置に電源が投入された直後のＬＣＤ１８の表示例を示す図である。なお、この図では、図面を見やすくするために、地図情報を表示しない状態を示しているが、実際には地図情報にアイコンが重畳して表示されている。
【００３０】
図３において、アイコン３０は、方位磁針を模したアイコンであり、地図上における南北方向を指示するアイコンであり、このアイコン３０が操作されると、地図の表示方向をノースアップおよびヘディングアップのいずれかから選択するためのメニュー画面が表示される。図３の場合、ヘディングアップが選択されており、ヘディングアップ時のアイコン３０が表示されている。ヘディングアップ時のアイコン３０は、方位磁針の画像とされており、各時点の北方向を指すようにアニメーション表示される。アイコン３１は、地図情報の縮尺率を示すアイコンであり、このアイコン３１が操作されると、地図情報の縮尺率を変更するためのメニュー画面が表示される。アイコン３２は、ショートカットのメニュー画面を表示するためのアイコンであり、このアイコン３２が操作されると、頻繁に使用される機能が一覧表示されたメニュー画面が表示される。
【００３１】
アイコン３３は、所定の目的地までルート検索を行った場合において、当該目的地に到着するまでに必要な料金（高速道路の通行料金等）が表示されるアイコンである。アイコン３４は、複数の車線が存在する場合に、進むべき車線を指示するためのアイコンである。この例では、１つの左折車線と２つの直進車線とが表示されている。アイコン３５は、現在通行中の道路の種類を示すアイコンである。この例では、現在通行中の道路が一般道であることが表示されている。アイコン３６は、ヘルプボタンであり、後述するようにアイコンの機能を表示する場合に操作される。なお、このアイコン３６の詳細な機能については後述する。アイコン３７は、現在の時刻を表示するアイコンであり、このアイコン３７が操作されるとカレンダーが表示される。
【００３２】
アイコン３８は、テレビジョンの録画予約を行う場合に操作されるアイコンであり、このアイコンが操作されると、録画予約を行うためのメニュー画面が表示される。アイコン３９は、予め登録されている自宅に帰宅する場合に操作されるアイコンであり、このアイコン３９が操作されると、自宅までのルート検索が行われ、検索結果に基づいてナビゲーションが行われる。アイコン４０は、音楽を再生する場合に操作されるアイコンであり、このアイコン４０が操作されると、音楽を再生するためのメニュー画面が表示される。
【００３３】
アイコン４１は、ルート検索を行った場合において、つぎの進路変更場所の名称とそこまでの距離が表示される。この例では、「１００ｍ先  代々木交番前交差点」が表示されている。アイコン４２は、つぎの進路変更場所における進行方向を示すアイコンである。この例では、左折することが示されている。アイコン４３は、ＶＩＣＳ（Vehicle Information and Communication System）情報の受信時刻を示すアイコンである。この例では１２時３４分に最新のＶＩＣＳ情報が受信されたことが示されている。また、アイコン４３は、渋滞情報を表示する場合に操作されるアイコンである。すなわち、このアイコン４３が操作されると、目的地までの経路上において発生している渋滞に関する情報が表示される。アイコン４４は、現在地から目的地までの距離と目的地への到着予定時刻が表示されるアイコンである。この例では、目的地までの距離が１２８ｋｍであり、予定到着時刻が１５時３１分であることが示されている。また、アイコン４４は、目的地に関する情報である目的地情報を表示する場合に操作されるアイコンである。すなわち、このアイコン４４が操作されると、目的地に関する種々の情報が表示される。
【００３４】
図３に示す画面において、ヘルプ表示用のアイコン３６が操作されると、ＣＰＵ１１は、表示部１８ａに表示されたアイコンのうち、所定のメニューを起動する機能を有するアイコン（ボタンの機能を有するアイコン）に対して説明文を表示する処理を開始する。具体的には、ＣＰＵ１１は、ＨＤＤ１４から所定の情報を取得し、ビデオ回路１５に供給する。その結果、ＬＣＤ１８の表示部１８ａには図４に示すような情報が表示される。この表示例では、ボタンとして機能するアイコン３０〜３２、アイコン３７、アイコン３８〜４０、アイコン４３，４４の下にそれぞれのアイコンの機能を説明する説明文が表示されている。
【００３５】
具体的には、アイコン３０の下には説明文「方位切換」が表示され、アイコン３１の下には説明文「縮尺切換」が表示され、アイコン３２の下には説明文「ショートカット」が表示されている。また、アイコン３７の下には説明文「カレンダー」が表示され、アイコン３８の下には説明文「ＴＶ予約」が表示され、アイコン３９の下には説明文「帰宅」が表示され、アイコン４０の下には説明文「音楽再生」が表示されている。さらに、アイコン４３の下には説明文「渋滞情報」が表示され、アイコン４４の下には説明文「目的地情報」が表示されている。
【００３６】
このような画面を参照することにより、運転者は、各アイコンが有する機能を知ることができる。例えば、アイコン３０は、ヘッディングアップ表示の場合には、車の進路に応じて方位磁針を模した画像が回転するので、当該アイコン３０が方位切換機能を有していることは一見しただけでは不明であるが、このような説明文を表示することにより、当該アイコンがボタンとしての機能を有していることが明確になる。
【００３７】
このような表示を参照して運転者がアイコンを操作した場合の動作について以下に説明する。
【００３８】
図４に示す画面において、アイコン３０の表示部分のタッチパネル１９ａが押圧され、アイコン３０が操作されると、ＣＰＵ１１は、タッチパネル１９ａの出力を参照し、アイコン３０が操作されたことを検出し、ＨＤＤ１４から所定の情報を取得し、ビデオ回路１５に供給する。その結果、ＬＣＤ１８には、図５に示すような画面が表示されることになる。この表示例では、表示部１８ａ内に枠５０が新たに表示されている。枠５０の内部には、タイトル５１およびボタン５２〜５４が表示されている。ここで、タイトル５１としては「方位切換」が表示されている。また、ボタン５２は、地図情報の表示をノースアップ、すなわち、地図情報の北が上になるように表示するモードを選択するためのボタンであり、ボタン５３は、進行方向が上になるように表示するモードを選択するためのボタンである。ボタン５４は、枠５０を表示部１８ａから消去するためのボタンである。このような画面を参照することにより、運転者はノースアップモードまたはヘディングアップモードのいずれかを選択することができる。
【００３９】
また、図４に示す画面において、アイコン３１が操作されると、ＣＰＵ１１は、タッチパネル１９ａの出力を参照し、アイコン３１が操作されたことを検出し、ＨＤＤ１４から所定の情報を取得し、ビデオ回路１５に供給する。その結果、ＬＣＤ１８には、図６に示すような画面が表示されることになる。この表示例では、表示部１８ａ内に枠６０が新たに表示されている。枠６０の内部には、タイトル６１、スライダ６２、およびボタン６３が表示されている。
【００４０】
ここで、タイトル６１としては「縮尺切換」が表示されている。スライダ６２は、表示部１８ａに表示されている地図情報の縮尺を調整する場合に操作されるスライダであり、三角形のつまみを左側に移動させると縮尺が小さくなり、右側に移動させると縮尺が大きくなる。ボタン６３は、枠６０を表示部１８ａから消去する場合に操作される。
【００４１】
このような画面を参照してスライダ６２を操作することにより、運転者は地図情報の最適な縮尺を選択することが可能になる。
【００４２】
また、図４に示す画面において、アイコン４４が操作されると、ＣＰＵ１１は、タッチパネル１９ａの出力を参照し、アイコン４４が操作されたことを検出し、ＨＤＤ１４から所定の情報を取得し、ビデオ回路１５に供給する。その結果、ＬＣＤ１８には、図７に示すような画面が表示されることになる。この表示例では、表示部１８ａ内に枠７０が新たに表示されている。枠７０の内部には、タイトル７１、目的地情報７２、およびボタン７３が表示されている。すなわち、タイトル７１としては、目的地の名称である「○×電気」が表示されている。また、その下には目的地情報７２として、目的地の電話番号、目的地の営業時間、および目的地の定休日が表示されている。また、ボタン７３は、枠７０を表示部１８ａから消去する場合に操作されるボタンである。
【００４３】
このような画面を参照することにより、運転者は目的地に関する詳細な情報を得ることができる。
【００４４】
なお、アイコン３６が再度操作された場合には、ＣＰＵ１１は、表示されている説明文を削除する処理を実行する。その結果、表示部１８ａには、図４と同様の画面が表示されることになる。
【００４５】
以上に説明したように、本発明の実施の形態では、アイコン３６が操作された場合には、設定機能を有しているアイコン３０〜３２，３７〜４０，４３，４４（すなわち、ボタンとしての機能を有しているアイコン）については、説明文を表示し、それ以外のアイコン３３〜３６，４１，４２については、説明文を表示しないようにしたので、運転者はどのアイコンが設定機能を有しているのかを正確に知ることが可能になる。
【００４６】
なお、以上の実施の形態では、設定機能を有しているすべてのアイコンに対して説明文を表示するようにしたが、例えば、過去に操作がされていないアイコンについてのみ説明文を表示するようにしてもよい。図８はそのような場合の表示例を示す図である。この図の例では、アイコン３０，３１，３７，４３，４４の下にのみ説明文が表示されている。すなわち、これら以外のアイコンについては過去に操作がなされており、設定機能については知っていると考えられるので、説明文の表示を省略することにより、画面が煩雑になることを防止している。なお、１回操作されたか否かによって判断するのではなく、複数回（例えば、２回以上等）操作されたか否かによって判断することも可能である。そのような方法によれば、運転者の習熟も考慮に入れて、説明文の表示・非表示を切り換えることが可能になる。
【００４７】
また、以上の実施の形態では、アイコン自身については、アイコン３６が操作されても表示形式を変更しない構成としたが、例えば、設定機能を有しているアイコンについては、他のアイコンとは異なる表示形態で表示する（例えば、形状を変える、色彩を変える、点滅表示する、立体的に表示する）ようにすることにより、設定機能を有していることをより明確に表すことも可能である。
【００４８】
また、以上の実施の形態では、アイコン３６が操作された場合には、説明文を表示するようにしたが、例えば、各アイコンの機能を説明するための図形（イラスト等）を表示するようにしてもよい。
【００４９】
なお、上述の実施の形態は、本発明の好適な例であるが、本発明は、これらに限定されるものではなく、本発明の要旨を逸脱しない範囲において、種々の変形、変更が可能である。
【００５０】
例えば、上述の実施の形態において、アニメーション表示される例えばアイコン３０のようなアイコンについてのみ、機能を説明する文字や図形を表示するようにしてもよい。
【００５１】
また、上述の実施の形態においては、機能を有するアイコンに対して説明文（文字）を表示させるための操作部として、表示画像とタッチパネル１９ａで構成されるソフトウエアボタンであるアイコン３６が使用されているが、その代わりに、入力装置１９内のハードウエアボタンを使用するようにしてもよい。
【００５２】
また、以上の実施の形態では、ナビゲーション装置を車両に取り付ける場合を例に挙げて説明を行ったが、車両のみならず、船舶、航空機等に取り付けることも可能であることはいうまでもない。
【００５３】
また、以上の実施の形態では、入力装置１９としてはタッチパネルを例に挙げて説明したが、タッチパネルではなく、リモートコントローラを利用することも可能である。
【００５４】
なお、上記の処理機能は、例えば、図１に示すようなコンピュータによって実現される。その場合、ナビゲーション装置が有すべき機能の処理内容を記述したプログラムが提供される。そのプログラムをコンピュータで実行することにより、処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ(Digital Versatile Disk)、ＤＶＤ−ＲＡＭ(Random Access Memory)、ＣＤ−ＲＯＭ(Compact Disk Read Only Memory)、ＣＤ−Ｒ(Recordable)／ＲＷ(ReWritable)などがある。光磁気記録媒体には、ＭＯ(Magneto-Optical disk)などがある。
【００５５】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００５６】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【産業上の利用可能性】
【００５７】
本発明は、表示部を有するナビゲーション装置に利用することができる。
【図面の簡単な説明】
【００５８】
【図１】本発明の実施の形態に係るナビゲーション装置の構成例を示すブロック図である。
【図２】図１に示す実施の形態のＬＣＤに表示される画面の一例を説明するための図である。
【図３】図１に示す実施の形態に係るナビゲーション装置の動作を説明するための表示例を示す図である。
【図４】図３に示すアイコン３６を操作した場合に表示される画面の一例を示す図である。
【図５】図４に示すアイコン３０を操作した場合に表示される画面の一例を示す図である。
【図６】図４に示すアイコン３１を操作した場合に表示される画面の一例を示す図である。
【図７】図４に示すアイコン４４を操作した場合に表示される画面の一例を示す図である。
【図８】図３に示すアイコン３６を操作した場合に表示される他の画面の一例を示す図である。
【符号の説明】
【００５９】
１０  ナビゲーション装置
１１  ＣＰＵ（アイコン表示手段の一部、説明文等表示手段の一部）
１５  ビデオ回路（アイコン表示手段の一部、説明文等表示手段の一部）
【図１】
2005207977.tif 000003
【図２】
2005207977.tif 000004
【図３】
2005207977.tif 000005
【図４】
2005207977.tif 000006
【図５】
2005207977.tif 000007
【図６】
2005207977.tif 000008
【図７】
2005207977.tif 000009
【図８】
2005207977.tif 000010